(57)【要約】      （修正有）【課題】設置及び撤去が容易であり、かつ、壁面接合部を壁面に密着させることが可能である、壁面及び床面に接合して利用する高輝度蓄光式誘導ラインを提供する。【解決手段】高輝度蓄光式誘導ラインは、室内の壁面及び床面０１０２に接合して利用する蓄光式誘導ラインであって、壁面に接合する壁面接合部と、床面０１０２に接合する床面接合部と、からなる本体と、本体面のうち人が利用する空間に向かって蓄光材料を配置した蓄光部と、からなり、壁面接合部と床面接合部のなす角度や、本体の配置角度を変更することによって、受光／発光角度を自由に調整することができる構成とする。【選択図】図１
2013253408.tif 000002
【特許請求の範囲】
【請求項１】
壁面及び床面に接合して利用する蓄光式誘導ラインであって、壁面に接合する壁面接合部と、床面に接合する床面接合部と、からなる本体と、本体面のうち人が利用する空間に向かって蓄光材料を配置した蓄光部と、からなる蓄光式誘導ライン。
【請求項２】
前記本体は、壁面接合部と、床面接合部との間に壁面にも床面にも接触しない逃げ部を有する請求項１に記載の蓄光式誘導ライン。
【請求項３】
本体面のうち蓄光部が配置される本体面は、壁面と床面の境界側に向かって凹となる凹面である請求項１又は２に記載の蓄光式誘導ライン。
【請求項４】
前記蓄光部が配置される本体面である凹面によって形成される凹部は前記蓄光材料にて埋められている請求項３に記載の蓄光式誘導ライン。
【請求項５】
前記蓄光部は、配置される本体面である凹面に沿って前記蓄光材料が膜状に配置されていることを特徴とする請求項３に記載の蓄光式誘導ライン。
【請求項６】
前記蓄光部の蓄光材料を保護する透明保護部をさらに有する請求項１から５のいずれか一に記載の蓄光式誘導ライン。
【請求項７】
前記透明保護部は、前記蓄光部が配置される本体面である凹面によって形成される凹部を透明部材で埋めるように構成された請求項５に記載の蓄光式誘導ライン。
【請求項８】
前記蓄光部は、本体面との間に蓄光材料から発せられる光を反射するための反射手段をさらに有する請求項１から７のいずれか一に記載の蓄光式誘導ライン。
【請求項９】
前記蓄光部は、蓄光材料の下層又は／及び上層に透明層をさらに有することを特徴とする請求項１から８のいずれか一に記載の蓄光式誘導ライン。
【請求項１０】
前記透明層の屈折率は、前記透明保護部の材料の屈折率よりも大きいことを特徴とする請求項６に従属する請求項９に記載の蓄光式誘導ライン。
【発明の詳細な説明】
【技術分野】
【０００１】
本発明は、壁面及び床面に接合して利用する蓄光式誘導ラインに関する。
【０００２】
従来、室内の壁面と床面との接合部に設置される蓄光式誘導ラインとして、幅木の全部又は一部を蓄光性材料を用いて成形したものが知られている。例えば、特許文献１では、蓄光性蛍光体材料によって作製したペレットを幅木に成形する技術が開示されている。また、特許文献２では、一体成形される幅木の下端部に蓄光性蛍光物質が配合されていることを特徴とする蓄光性幅木が開示されている。
【特許文献１】特許第４７６４１４３号
【特許文献２】特開２００５−０８２９８３号公報
【０００３】
しかしながら、上記の従来技術は、いずれも幅木自体を蓄光性材料によって成形するものであったため、設置及び撤去が容易ではないという難点があった。また、一般的な幅木の下端には、室内へ向かって張り出した形状を有する裾部が生じている。このような幅木に沿って蓄光式誘導ラインを設置した場合、幅木の裾部が障害となって、蓄光式誘導ラインの壁面接合部を壁面に密着させることができないという難点があった。さらに、従来技術における蓄光式誘導ラインは、必ずしも十分な輝度を有するものではなかった。
【０００４】
そこで、本発明は、設置及び撤去が容易であり、かつ、壁面接合部を壁面に密着させることが可能である、壁面及び床面に接合して利用する高輝度蓄光式誘導ラインを提供することを課題とする。
【発明の概要】
【課題を解決するための手段】
【０００５】
本発明が提供する蓄光式誘導ラインは、具体的には、次のような蓄光式誘導ラインである。
【０００６】
第１発明では、壁面及び床面に接合して利用する蓄光式誘導ラインであって、壁面に接合する壁面接合部と、床面に接合する床面接合部と、からなる本体と、本体面のうち人が利用する空間に向かって蓄光材料を配置した蓄光部と、からなる蓄光式誘導ラインを提供する。
【０００７】
第２発明では、第１発明を基本として、本体は、壁面接合部と、床面接合部との間に壁面にも床面にも接触しない逃げ部を有する蓄光式誘導ラインを提供する。
【０００８】
第３発明では、第１発明又は第２発明のいずれか一を基本として、本体面のうち蓄光部が配置される本体面は、壁面と床面の境界側に向かって凹となる凹面である蓄光式誘導ラインを提供する。
【０００９】
第４発明では、第３発明を基本として、前記蓄光部が配置される本体面である凹面によって形成される凹部は前記蓄光材料にて埋められている蓄光式誘導ラインを提供する。
【００１０】
第５発明では、第３発明を基本として、前記蓄光部は、配置される本体面である凹面に沿って前記蓄光材料が膜状に配置されていることを特徴とする蓄光式誘導ラインを提供する。
【００１１】
第６発明では、第１発明から第５発明のいずれか一を基本として、前記蓄光部の蓄光材料を保護する透明保護部をさらに有する蓄光式誘導ラインを提供する。
【００１２】
第７発明では、第５発明を基本として、前記透明保護部は、前記蓄光部が配置される本体面である凹面によって形成される凹部を透明部材で埋めるように構成された蓄光式誘導ラインを提供する。
【００１３】
第８発明では、第１発明から第７発明のいずれか一を基本として、前記蓄光部の蓄光材料は、本体面との間に蓄光材料から発せられる光を反射するための反射手段をさらに有する蓄光式誘導ラインを提供する。
【００１４】
第９発明では、第１発明から第８発明のいずれか一を基本として、前記蓄光部は、蓄光材料の下層又は／及び上層に透明層をさらに有することを特徴とする蓄光式誘導ラインを提供する。
【００１５】
第１０発明では、第６発明に従属する第９発明を基本として、前記透明層の屈折率は、前記透明保護部の材料の屈折率よりも大きいことを特徴とする蓄光式誘導ラインを提供する。
【発明の効果】
【００１６】
本発明によれば、設置及び撤去が容易であり、かつ、壁面接合部を壁面に密着させることが可能である、壁面及び床面に接合して利用する高輝度蓄光式誘導ラインを提供できる。
【発明を実施するための形態】
【００１７】
以下に、図を用いて本発明の実施例を説明する。なお、本発明はこれらの実施例に何ら限定されるものではなく、その要旨を逸脱しない範囲において、種々なる態様で実施しうる。実施例１は、主に請求項１について説明する。実施例２は、主に請求項２について説明する。実施例３は、主に請求項３及び請求項４について説明する。実施例４は、主に請求項５について説明する。実施例５は、主に請求項６について説明する。実施例６は、主に請求項７について説明する。実施例７は、主に請求項８について説明する。実施例８は、主に請求項９及び請求項１０について説明する。
<<実施例１>>
<実施例１：概要>
【００１８】
本実施例の蓄光式誘導ラインは、壁面及び床面に接合して利用する蓄光式誘導ラインである。
<実施例１：構成>
【００１９】
図１は、本実施例における蓄光式誘導ラインが設置された室内の一例を示す図である。図１に示すように、本実施例の蓄光式誘導ラインは、幅木（０１０１）と床面（０１０２）の境界部分に設置されることが望ましい。
【００２０】
図２は、本実施例における蓄光式誘導ラインの一例を示す図である。図２に示すように、本実施例の蓄光式誘導ラインは、本体（０２０３）と、蓄光部（０２０４）と、からなる。
【００２１】
「本体」は、壁面に接合する壁面接合部と、床面に接合する床面接合部と、からなる部品であって、後に詳述する蓄光部を人が利用する空間に向けて配置する機能を有する。「壁面接合部」は、壁に接合するものであってもよく、壁の最下部に設置された幅木に接合するものであってもよい。本体の材料としては、金属、木、樹脂材料、タイル等が考えられる。材料の選択方法としては、たとえば、木製の幅木に接合して利用する場合、美観を考慮して木を選択する等が考えられる。また、壁面接合部と床面接合部とは、同じ材料であっても、異なる材料であってもよい。
【００２２】
「蓄光部」は、蓄光材料が配置される部分であって、人が利用する空間に向かって発光する機能を有する。「蓄光材料」とは、太陽光や蛍光灯等の紫外光を受けてその光エネルギーを吸収し、吸収した光エネルギーを可視光に変換し、光エネルギーの供給が停止した後も一定時間光を放出することにより発光し続ける材料である。具体的には、酸化チタン等が挙げられる。
【００２３】
このように構成することによって、本発明の蓄光式誘導ラインにおいては、本体が目立たないにもかかわらず受光／発光面積を大きくすることが可能となる。また、壁面接合部と床面接合部のなす角度や、本体の配置角度を変更することによって、受光／発光角度を自由に調整することができる。
【００２４】
さらに、室内では、蛍光灯等の照明は、天井の中心部に設置されている場合が多い。本発明の蓄光式誘導ラインにおいては、蓄光材料を人が利用する空間に向かって配置することによって、蛍光灯等の照明の光が正面から受光され、十分な量の光が蓄光材料に蓄えられる。そして、暗闇においては蓄光部が人のいる方向に対して発光し、この光を手掛かりとして人がスムーズに移動することが可能となる。
【００２５】
また、本実施例の蓄光式誘導ラインは、蓄光部が両面テープ等の粘着材料によって本体に固定されるものであっても良い。このように構成した場合、本実施例の蓄光式誘導ラインは、蓄光部と本体との間に、粘着材料によって形成される粘着層を更に有することとなる。
<実施例１：効果>
【００２６】
本実施例の蓄光式誘導ラインが、壁面及び床面に接合して利用するものであることから、次のような効果が生じる。まず、壁面と床面の境界部分に設置されるため、人が室内を移動する際に躓いたりすることがなく、暗闇では壁面の位置を示すことができる。
また、火災の際には、煙はまず天井に向かい、その後下降していくことから、壁面と床面の境界部分に設置された蓄光式誘導ラインは最後まで視認可能であり、停電した場合でもこれを手掛かりとして安全に避難することができる。
【００２７】
さらに、壁面と床面の境界部分は室内で最も目立たない部分であることから、この部分を利用することによって室内の美観を損なうことなく蓄光式誘導ラインを設置できる。壁面や床面は、他の掲示物等に利用されていることが多いため、室内の空間の効率的利用という観点からも、蓄光式誘導ラインの設置場所としては壁面と床面の境界部分が最適である。
【００２８】
本発明によれば、設置及び撤去が容易な、壁面及び床面に接合して利用する蓄光式誘導ラインを提供できる。
<<実施例２>>
<実施例２：概要>
【００２９】
一般的な幅木の下端には、室内へ向かって張り出した形状を有する裾部が生じている。実施例１の蓄光式誘導ラインにおいては、壁面接合部が幅木に接合する場合、幅木の裾部が障害となって、壁面接合部を壁面に密着させることができないという難点がある。本実施例の蓄光式誘導ラインは、本体の壁面接合部と床面接合部との間に、壁面にも床面にも接触しない逃げ部を有することを特徴とする。これによって、幅木の裾部が逃げ部に配置され、蓄光式誘導ラインを壁面に密着させて配置することが可能となる。
<実施例２：構成>
【００３０】
図３は、本実施例における蓄光式誘導ラインの一例を示す図である。図３に示すように、本実施例の蓄光式誘導ラインは、本体（０３０３）と、蓄光部（０３０４）と、からなり、さらに、本体が逃げ部（０３０５）を有することを特徴とする。本体及び蓄光部については、実施例１で説明したところと同様であるので、説明を省略する。
【００３１】
「逃げ部」は、本体の壁面接合部と床面接合部との間に、蓄光部の反対側に設けられた壁面にも床面にも接触しない空間である。本実施例における蓄光式誘導ラインを、幅木の裾部が逃げ部に配置されるように設置することによって、蓄光式誘導ラインの壁面接合部が壁面に密着される。また、壁面と床面とがなす角が、壁面接合部と床面接合部とがなす角と同一ではない場合においても、蓄光式誘導ラインの位置決めが容易となる。
<実施例２：効果>
【００３２】
本発明によれば、設置及び撤去が容易であり、かつ、壁面接合部を壁面に密着させることが可能である、壁面及び床面に接合して利用する蓄光式誘導ラインを提供できる。
<<実施例３>>
<実施例３：概要>
【００３３】
本実施例の蓄光式誘導ラインは、本体面のうち蓄光部が配置される本体面が壁面と床面の境界側に向かって凹となる凹面であり、かつ、本体の凹面によって形成される凹部が蓄光材料によって埋められていることを特徴とする。
<実施例３：構成>
【００３４】
図４は、本実施例における蓄光式誘導ラインの一例を示す図である。図４に示すように、本実施例の蓄光式誘導ラインは、実施例１又は２を基本として、本体（０４０３）と、蓄光部（０４０４）と、からなる。本体及び蓄光部については、以下に述べる点を除いて、実施例１で説明したところと同様である。
【００３５】
本実施例における「本体」は、本体面のうち蓄光部が配置される本体面が壁面と床面の境界側に向かって凹となる凹面であることを特徴とする。このように構成することによって、蓄光部の本体に接する部分が凸レンズ状に形成される。
【００３６】
本実施例における「蓄光部」は、本体の凹面によって形成される凹部を蓄光材料で埋めることによって形成されていることを特徴とする。凹部を蓄光材料で埋める方法としては、具体的には、液体状態の蓄光材料を流し込んで乾燥させる方法、固体状態の蓄光材料を圧嵌する方法、等が考えられる。
【００３７】
液体状態の蓄光材料を製造する方法としては、透過性の良い材料に対して、蓄光顔料を２０〜６０％の割合で混合する方法が望ましい。透過性の良い材料としては、具体的には、アクリル、エポキシ樹脂、及びガラス等が挙げられる。
【００３８】
上記の方法によって形成される蓄光部のうち、人が利用する空間に面した部分の形状は、平面であってもよく、人が利用する空間側に向かって凸となる凸面であってもよい。前者のように構成した場合、蓄光部は全体として平凸レンズ状に形成されることとなり、後者のように構成した場合、蓄光部は全体として両凸レンズ状に形成されることとなる。
【００３９】
なお、蓄光材料の厚さと輝度は、厚さ約０．７５ミリメートルまでは比例関係にあり、約０．７５ミリメートルを超えると却って輝度が低下する。したがって、輝度の向上のためには、蓄光材料の最厚部分の厚さが０．７５ミリメートル程度となるように構成することが望ましい。
<実施例３：効果>
【００４０】
本実施例の蓄光式誘導ラインは、蓄光部の反射面が、人が利用する空間側に向かって形成されているため、利用者の視界に入りやすい。また、蓄光部の反射面が蛍光灯等による光の照射を受けやすくなることから、蓄光材料の蓄光効率の向上に資する。さらに、蓄光部の少なくとも片面が凸面であることによって、蓄光材料から発せられる光が拡散され、暗闇において広い範囲を照らすことが可能となる。
【００４１】
本発明によれば、設置及び撤去が容易である、壁面及び床面に接合して利用する高輝度蓄光式誘導ラインを提供できる。
<<実施例４>>
<実施例４：概要>
【００４２】
本実施例の蓄光式誘導ラインは、本体面のうち蓄光部が配置される本体面が壁面及び床面の境界側に向かって凹となる凹面であり、かつ、凹面に沿って蓄光材料が膜状に配置されていることを特徴とする。
<実施例４：構成>
【００４３】
図５は、本実施例における蓄光式誘導ラインの一例を示す図である。図５に示すように、本実施例の蓄光式誘導ラインは、実施例３を基本として、本体（０５０３）と、蓄光部（０５０４）と、からなる。本体については、実施例３で説明したところと同様であるので、説明を省略する。また、蓄光部については、以下に述べる点を除いて、実施例１で説明したところと同様である。
【００４４】
本実施例における「蓄光部」は、本体の凹面に沿って蓄光材料を膜状に配置することによって形成されていることを特徴とする。このように構成することによって、蓄光部のうち、本体に接する部分は本体に向かって凸となる凸面となり、人が利用する空間に面した部分は該空間に向かって凹となる凹面となる。
【００４５】
本実施例における「蓄光部」は、中央部が周辺部よりも厚くなるように形成されていてもよく、周辺部が中央部よりも厚くなるように形成されていてもよい。前者の場合、蓄光部は凸レンズとして働く。後者の場合、蓄光部は凹レンズとして働く。
<実施例４：効果>
【００４６】
本実施例の蓄光式誘導ラインにおいては、膜状の蓄光材料の厚みの分布を調整することによって、蓄光部が凸レンズ又は凹レンズとしての機能を有する。これによって、蓄光材料から発せられる光を集約させたり、拡散させたりすることが可能となる。本発明によれば、設置及び撤去が容易である、壁面及び床面に接合して利用する高輝度蓄光式誘導ラインを提供できる。
<<実施例５>>
<実施例５：概要>
【００４７】
実施例１ないし４の蓄光式誘導ラインにおいては、人が利用する空間に蓄光材料が直接面しているため、蓄光式誘導ラインの使用に伴って蓄光材料が磨耗したり汚損したりするおそれがある。本発明の蓄光式誘導ラインは、透明保護部をさらに有することを特徴とする。
<実施例５：構成>
【００４８】
図６は、本実施例における蓄光式誘導ラインの一例を示す図である。図６に示すように、本実施例の蓄光式誘導ラインは、実施例１ないし４のいずれか一を基本として、本体（０６０３）と、蓄光部（０６０４）と、からなり、さらに、透明保護部（０６０６）を有する。本体及び蓄光部については、既に説明したところと同様であるので、説明を省略する。
【００４９】
「透明保護部」は、透明部材によって蓄光部の上に形成される層であって、蓄光材料を保護する機能を有する。透明保護部を形成する方法としては、具体的には、蓄光材料に蓄光材料よりも比重の軽い透明部材を混合することが考えられる。この方法によれば、蓄光材料が下に沈む結果、図６に示すように、透明部材によって蓄光材料の上に透明保護部が形成されることとなる。
【００５０】
透明保護部を形成するその他の方法としては、透過性の良い透明塗料を塗布する方法、透明フィルムを貼付する方法、等が考えられる。なお、透明保護部の形成に当たっては、透明保護部と蓄光部との間に空気が入らないようにすることが望ましい。
【００５１】
図７は、本実施例における蓄光式誘導ラインの別の一例を示す図である。図７に示すように、本実施例の蓄光式誘導ラインにおいては、蓄光部（０７０４）が平面状であり、かつ、透明保護部（０７０６）のうち人が利用する空間に面した部分が、該空間に向かって凸となる凸面状であっても良い。このように構成した場合、透明保護部が凸レンズとしての機能を有することから、蓄光材料から発せられる光を透明保護部によって拡散させることが可能となる。
<実施例５：効果>
【００５２】
本実施例の蓄光式誘導ラインは、蓄光材料が透明保護部によって保護されており、これによって、蓄光式誘導ラインの使用に伴う蓄光材料の磨耗や汚損を防止することが可能となる。本発明によれば、設置及び撤去が容易であり、かつ、蓄光材料が磨耗したり汚損したりするおそれのない、壁面及び床面に接合して利用する蓄光式誘導ラインを提供できる。
<<実施例６>>
<実施例６：概要>
【００５３】
本発明の蓄光式誘導ラインは、蓄光部が配置される本体面である凹面によって形成される凹部を透明部材で埋めるように構成された透明保護部を有することを特徴とする。
<実施例６：構成>
【００５４】
図８は、本実施例における蓄光式誘導ラインの一例を示す図である。図８に示すように、本実施例の蓄光式誘導ラインは、実施例４を基本として、本体（０８０３）と、蓄光部（０８０４）と、からなり、さらに、透明保護部（０８０６）を有する。本体については、実施例３で説明したところと同様であるので、説明を省略する。また、蓄光部については、実施例４で説明したところと同様であるので、説明を省略する。また、透明保護部については、以下に述べる点を除いて、実施例５で説明したところと同様である。
【００５５】
本実施例における「透明保護部」は、蓄光部が配置される本体面である凹面によって形成される凹部を透明部材で埋めるように構成されていることを特徴とする。このように構成することによって、本実施例における透明保護部は、少なくとも片面が凸レンズ状に形成される。
<実施例６：効果>
【００５６】
本実施例においては、透明保護部が凸レンズとしての機能を有しているため、蓄光材料から発せられる光が透明保護部によって集約され、足元を明るく照らしたり、室内の歩行者の目に相対的に強い刺激を与えたりすることが可能となる。
【００５７】
本発明によれば、設置及び撤去が容易であり、かつ、蓄光材料が磨耗したり汚損したりするおそれのない、壁面及び床面に接合して利用する高輝度蓄光式誘導ラインを提供できる。
<<実施例７>>
<実施例７：概要>
【００５８】
本実施例の蓄光式誘導ラインは、蓄光部が、蓄光材料から発せられる光を反射するための反射手段を蓄光材料と本体面との間にさらに有することを特徴とする。
【００５９】
実施例１ないし６の蓄光式誘導ラインにおいては、本体の材料に白色樹脂を用いることによって、本体が蓄光材料から発せられる光を拡散させ、十分な発光輝度を得ることが可能となる。しかしながら、それ以外の材料を用いた場合、白色樹脂を用いた場合と比較して、発光輝度は３〜５割低くなる。そこで、本実施例では、本体の材料が白色樹脂以外であっても高輝度で発光する蓄光式誘導ラインを提供する。
<実施例７：構成>
【００６０】
図９は、本実施例における蓄光式誘導ラインの一例を示す図である。図９に示すように、本実施例の蓄光式誘導ラインは、実施例１ないし６のいずれか一を基本として、本体（０９０３）と、蓄光部（０９０４）と、からなる。本体については、既に説明したところと同様であるので、説明を省略する。また、蓄光部については、以下に述べる点を除いて、既に説明したところと同様である。
【００６１】
本実施例における「蓄光部」は、蓄光材料と本体面との間に、蓄光材料から発せられる光を反射するための反射手段（０９０７）を有することを特徴とする。反射手段は、白色で反射効率の良い材料によって形成されることが望ましく、具体的には、酸化チタン入りの塗料を塗布したり、白色のカッティングフィルムを貼付したりすることが考えられる。
【００６２】
図１０は、本実施例における蓄光式誘導ラインの別の一例を示す図である。図１０に示すように、本実施例における蓄光式誘導ラインは、蓄光部（１００４）及び反射手段（１００７）がそれぞれ平面となるように構成されていても良い。
<実施例７：効果>
【００６３】
本実施例の蓄光式誘導ラインにおいては、蓄光材料から発せられる光が反射手段によって乱反射されることによって、蓄光式誘導ラインの発光輝度が向上する。また、蓄光部が透明保護部を有する場合には、反射手段と透明保護部との間に配置された蓄光材料から発せられる光が、両者の間で乱反射することとなり、発光輝度をより一層高めることが可能となる。本発明によれば、設置及び撤去が容易である、壁面及び床面に接合して利用する高輝度蓄光式誘導ラインを提供できる。
<<実施例８>>
<実施例８：概要>
【００６４】
本実施例の蓄光式誘導ラインは、蓄光部が蓄光材料の下層又は／及び上層に透明層をさらに有することを特徴とする。
<実施例８：構成>
【００６５】
本実施例の蓄光式誘導ラインは、実施例１ないし７のいずれか一を基本として、本体と、蓄光部と、からなる。本体については、既に説明したところと同様であるので、説明を省略する。また、蓄光部については、以下に述べる点を除いて、既に説明したところと同様である。
【００６６】
本実施例における「蓄光部」は、蓄光材料から発せられる光を通過させるための透明層をさらに有することを特徴とする。「透明層」とは、透明部材によって蓄光材料の下層又は／及び上層に形成される層であって、蓄光部の輝度を向上させる機能を有する。
透明層を形成する材料は、蓄光材料と屈折率が同じ材料であることが望ましい。また、本実施例のように蓄光部を複層構成とする場合、層と層の間に異質な材料が介在しないように構成することが望ましい。異質な材料としては、具体的には、接着剤等が挙げられる。このように構成することによって、蓄光部の発光輝度を高めることが可能となる。
【００６７】
図１１は、本実施例における蓄光式誘導ラインの蓄光部の一例を示す拡大図である。図１１に示すように、本実施例の蓄光式誘導ラインは、複数の透明層（１１０８）の間に蓄光材料が配置されるよう構成されていても良い。
【００６８】
図１２は、本実施例における蓄光式誘導ラインの蓄光部の別の一例を示す拡大図である。図１２に示すように、本実施例の蓄光式誘導ラインは、三層以上の透明層（１２０８）を有していてもよく、さらに、透明保護部（１２０６）を有していてもよい。
【００６９】
透明層の屈折率を、透明保護部の材料の屈折率よりも大きくすることによって、透明保護部と透明層の境界面に臨界角よりも大きな入射角で進入する光は境界面で全反射され、蓄光部全体に広がっていくこととなる。一方で、臨界角よりも小さな入射角で進入する光は、蓄光部の外側へ出射されるので、蓄光部の表面全体が明るく光ることとなる。
【００７０】
なお、図１２のように蓄光材料を複層構成とする場合、単層構成とする場合と比較して、蓄光材料の合計の厚さを増加させることができる。すなわち、単層構成とする場合、先に述べたとおり、蓄光材料の最厚部分の厚さの上限は約０．７５ミリメートルであるのに対して、例えば二層構成とする場合、蓄光材料の厚さの上限は合計約１．５ミリメートルとなる。このように蓄光部に用いる蓄光材料の量が増加させることによって、蓄光材料から発せられる光の量も増加し、発光輝度をより高めることが可能となる。
<実施例８：効果>
【００７１】
本実施例の蓄光式誘導ラインにおいては、蓄光部の一部が透明部材によって形成されることによって蓄光部全体の透過性が向上し、発光輝度が高められる。
本発明によれば、設置及び撤去が容易である、壁面及び床面に接合して利用する高輝度蓄光式誘導ラインを提供できる。
【図面の簡単な説明】
【００７２】
【図１】実施例１の蓄光式誘導ラインが設置された室内の一例を示す図
【図２】実施例１の蓄光式誘導ラインの一例を示す図
【図３】実施例２の蓄光式誘導ラインの一例を示す図
【図４】実施例３の蓄光式誘導ラインの一例を示す図
【図５】実施例４の蓄光式誘導ラインの一例を示す図
【図６】実施例５の蓄光式誘導ラインの一例を示す図
【図７】実施例５の蓄光式誘導ラインの別の一例を示す図
【図８】実施例６の蓄光式誘導ラインの一例を示す図
【図９】実施例７の蓄光式誘導ラインの一例を示す図
【図１０】実施例７の蓄光式誘導ラインの別の一例を示す図
【図１１】実施例８の蓄光式誘導ラインの蓄光部の一例を示す拡大図
【図１２】実施例８の蓄光式誘導ラインの蓄光部の別の一例を示す拡大図
【符号の説明】
【００７３】
０１０１  幅木
０１０２  床面
０２０３  本体
０２０４  蓄光部
０３０５  逃げ部
０６０６  透明保護部
０９０７  反射手段
１１０８  透明層
【図１】
2013253408.tif 000003
【図２】
2013253408.tif 000004
【図３】
2013253408.tif 000005
【図４】
2013253408.tif 000006
【図５】
2013253408.tif 000007
【図６】
2013253408.tif 000008
【図７】
2013253408.tif 000009
【図８】
2013253408.tif 000010
【図９】
2013253408.tif 000011
【図１０】
2013253408.tif 000012
【図１１】
2013253408.tif 000013
【図１２】
2013253408.tif 000014